(57)【特許請求の範囲】
【請求項１】
配達物に付した配達先データのイメージを読み取るイメージ読取り手段と、前記イメージ読取り手段にて読取られたイメージによる配達先データをラベル用紙にプリントするラベルプリント手段と、前記イメージ読取り手段にて読取られた配達先データのイメージを表示部に表示させる共に、前記イメージ読取り手段にて読取られたイメージによる配達先データを前記ラベルプリント手段にて出力可能な出力データに加工し、加工した配達先データを前記ラベルプリント手段に転送するデータ処理手段とからなる配達票発行装置であって、
前記イメージ読取り手段は、
配達物を挿入するための読み取り面側に傾斜するテーパを具備し、スプリングによって読み取り面に配達物が密着するように持ち上げられ、かつその状態から押し下げられるようになっている配達物挿入ガイドと、
配達物の読取り処理を行う際、配達物に付した所定位置の配達先データを読み取れるように少なくとも配達物の隣り合う２辺の位置を規定する突き当てガイドとを有することを特徴とする配達票発行装置。
【請求項２】
前記突き当てガイドは、配達物の隣り合う２辺の位置をそれぞれ規定し、かつそれぞれが異なる移動ガイドに取り付けられて独立に移動可能な２つの突き当てガイドから構成されており、
前記イメージ読取り手段は、前記２つの突き当てガイドの少なくとも１つに配達物が突き当ったことを検出する読み取りスイッチを有しており、この読み取りスイッチの入力により配達物の読取り処理を行うことを特徴とする請求項１記載の配達票発行装置。
【発明の詳細な説明】
【０００１】
【産業上の利用分野】
本発明は、郵便配達や宅配業務等において配達物を物流経路に沿って配達するに際して必要な配達証、宅配票等の配達票を発行する配達票発行装置に関するものである。
【０００２】
【従来の技術】
従来、郵便配達や宅配業務等で配達物を配送するには、書留で使用される配達証や宅配便で使用される宅配票等の配達票を作成し、配達物に添付して配達処理を行っている。この配達票には、少なくとも配達先の情報とともに配達物受取人が記載、又は、受け取り印用の受領印欄を有し、その配達票を持ち帰ることによって配達者が配達処理を完了したことが確認でき確実な配達の管理ができる。また、この配達票の作成にあたっては、配達物の配達先住所、配達先宛名等を手書きにより行っていた。
【０００３】
【発明が解決しようとする課題】
そのため、多量に配達物があると、これら配達票の作成に大変な手間がかかるばかりか、手書きのものは、配達先の情報を省略したりするので確実な配達処理ができなかった。また、この配達票を配達物にあらかじめ記載されている配送先情報をコピーして作成することにより行った場合、コピー精度や規格が一定していないので、やはり確実な配達処理ができなかった。この発明は、配達票発行処理を簡易な処理装置により、マニュアル操作で効率のよい配達票発行装置を提供することを目的とするものである。
【０００４】
【課題を解決するための手段】
上記目的を解決するため本発明の配達票発行装置は、配達物に付した配達先データのイメージを読み取るイメージ読取り手段と、前記イメージ読取り手段にて読取られたイメージによる配達先データをラベル用紙にプリントするラベルプリント手段と、前記イメージ読取り手段にて読取られた配達先データのイメージを表示部に表示させる共に、前記イメージ読取り手段にて読取られたイメージによる配達先データを前記ラベルプリント手段にて出力可能な出力データに加工し、加工した配達先データを前記ラベルプリント手段に転送するデータ処理手段とからなる配達票発行装置であって、前記イメージ読取り手段は、配達物を挿入するための読み取り面側に傾斜するテーパを具備し、スプリングによって読み取り面に配達物が密着するように持ち上げられ、かつその状態から押し下げられるようになっている配達物挿入ガイドと、配達物の読取り処理を行う際、配達物に付した所定位置の配達先データを読み取れるように少なくとも配達物の隣り合う２辺の位置を規定する突き当てガイドとを有してなるものである。
【０００５】
また、前記突き当てガイドは、配達物の隣り合う２辺の位置をそれぞれ規定し、かつそれぞれが異なる移動ガイドに取り付けられて独立に移動可能な２つの突き当てガイドから構成されており、前記イメージ読取り手段は、前記２つの突き当てガイドの少なくとも１つに配達物が突き当ったことを検出する読み取りスイッチを有しており、この読み取りスイッチの入力により配達物の読取り処理を行うものである。
【０００７】
【発明の実施形態】
以下、本発明を好適な実施例に基づいて詳細に説明する。図１は本発明の配達票発行装置の全体を示す概略説明図であって、図２は図１の配達票発行装置にいおけるイメージ読取り手段の拡大斜視説明図、また図３は図１の配達票発行装置のブロック説明図、図４は配達物となる封筒の表面説明図で、図５は図４の封筒の裏面説明図、図６は図５の封筒の裏面に配達票を貼付した平面説明図である。
【０００８】
本発明の配達票発行装置Ｓの説明に先だって、配達物およびこの配達物に貼付する配達票を説明する。配達物ａは、この実施例においては、図４、図５で表裏が示される封筒であって、この封筒は、例えば、クレジット会社が会員にＩＤカードを送付するために書留封書または、宅配便で送付する封筒であり、表面にクレジット会社の住所、会社名、電話番号等の配送人情報３４が印刷により表示されている。また、封筒に設けられた窓には、配達宛先情報３１としての住所、氏名が表出されているとともに、書留または、宅配処理用の管理用バーコードデータＢ１およびこのバーコードデータＢ１に対応し、配達者が目視により確認できるコードデータ３２が表出されている。
【０００９】
封筒の裏面は、内容物を封入した後は、舌片３３が糊により封緘され、図６で示されるように舌片３３の端部を覆うように配達票１６が貼付される。この配達票１６は、郵便の書留の場合は、書留郵便配達証として使用されるものであり、また宅配便の場合は、配送票として使用されるものである。本発明の配達票発行装置Ｓで作成される配達票１６は、裏面に透明または半透明のフィルムが剥離可能にして接合され、さらにそのフィルムの裏面に粘着剤が塗布されていて、この粘着剤に剥離紙を有してなる配達票ラベルであって表面は、あらかじめ配達票としての枠の罫線やタイトル等が印刷され、可変情報のみがプリンタで印字され、その後、この剥離紙を剥がして、粘着剤を表出させて配達物ａに貼り合わされることになる。なお、図示の如くミシン目を介して２枚１組で構成される配達票１６は、郵便の書留の場合は、書留用の書留郵便配達証として使用されるものであり、図中右側の配達票１６は配達過程において受取人に受領印をもらい配達物ａから分離され郵便局が控えとするものである。また、宅配便の場合は、同様に配送票として使用されるものであり、図中右側の配達票１６は宅配の過程において受取人に受領印をもらい配達物ａから分離され配送業者が控えとするものである。
【００１０】
図６において示されるように配達票１６には、配達物ａに付された配達管理用バーコードデータＢ１と同じバーコードデータＢ２が表示される。これにより郵便局または、配送業者は、配達者が持ち帰った配達票１６のバーコードデータＢ２を読み取り、配達完了処理を容易に行うことができる。
【００１１】
次に本発明の配達票発行装置Ｓを図１乃至図３に基づいて説明すると、配達票発行装置Ｓは、配達物ａに付した配達先データのイメージを読み取るイメージ読取り手段４と、読取ったイメージによる配達先データをラベル用紙にプリントするラベルプリント手段５と、前記イメージ読取り手段４からの配達先データのイメージを表示部１３に表示させることで読み取り位置を確認させることができ、さらに、イメージ読取り手段４からの配達先データをラベルプリント手段５にて出力可能な出力データに加工し、加工した配達先データをラベルプリント手段５に転送するデータ処理手段１とからなる配達票発行装置Ｓであって、前記イメージ読取り手段４は、読取り処理を行う際、配達物ａに付した所定位置の配達先データを読み取れるように少なくとも配達物ａの隣り合う２辺の位置を規定する突き当てガイド２１および２２を設けて配達物ａの配達先データのイメージを読み取らせるようにしてなるものである。
【００１２】
配達票発行装置Ｓは、また、配達物ａに付された配達管理用バーコードデータＢ１を読み取るバーコードリーダー３と配達票発行の処理をした一覧表や処理レポート等を出力するプリンタ２がデータ処理手段１に接続されている。さらにデータ処理手段１は、イメージ読取り手段４、ラベルプリント手段５、バーコードリーダー３、プリンタ２等を制御する制御部１１およびキーボードからなる入力部１４、イメージ読取り手段４で読み取ったデータや処理記録等を記憶する記憶部１２、イメージ読取り手段４で読み取り状態等を表示する表示部１３等から構成されている。
【００１３】
イメージ読取り手段４について、図２でさらに詳しく説明すると、イメージ読取り手段４の読み取りは、ＣＣＤカメラによるもので、基台１７の上部にＣＣＤカメラ部１９が読み取りレンズ面を下方に向けて配置され、この基台１７とＣＣＤカメラ部１９の間に配達物ａを挿入して配達物ａの配達先のイメージを読み取るようにしている。配達物ａを挿入する際、配達物ａが容易に挿入できるように基台１７には、読み取り面１８側に傾斜するテーパを有する配達物挿入ガイド２０が設けられている。読み取り面１８と配達物挿入ガイド２０の隙間は、通常は、数ｍｍの最小間隔に設定されている。また、厚めの配達物ａが差し込まれても挿入できるようにこの配達物挿入ガイド２０は、２〜３ｃｍ押し下げられるようになっているが、ＣＣＤカメラ部１９の読み取り面１８に配達物ａが密着するようにスプリングによって前記最小間隔になるよう持ち上げられている。
【００１４】
イメージ読取り手段４には、配達物ａに付した所定位置の配達先データを読み取れるように配達物ａの隣り合う２辺の位置を規定する突き当てガイド２１と２２が設けてなるものであって、突き当てガイド２１は、突き当て位置を変更可能となるようステー２３に沿って摺動自在な移動ガイド２４に取り付けられるとともに移動ガイド２４は、ネジ２５の調整でステー２３の所定位置で固定および摺動自在に移動できるようになっている。また同様に突き当てガイド２２は、突き当て位置を変更可能となるよう丸ステー２６および角ステー２７に沿って摺動自在となるよう角ステー２７の移動ガイド２８に取り付けられるとともに移動ガイド２８は、ネジ２９の調整で角ステー２７の所定位置で固定および摺動自在に移動できるようになっている。角ステー２７には、固定位置を確認しやすくするための目盛り３０が付されている。
【００１５】
前記突き当てガイド２１には、配達物ａが突き当ったことを検出するマイクロスイッチ２１ｓが組み込まれており、イメージ読取り手段４による読取り指示は、このマイクロスイッチ２１ｓの入力により行い、この指示によりイメージ読取り手段４が読取り処理を行うようになっている。また、イメージ読取り手段４には、フットスイッチ６も設けられており、足で読取り指示を行うことができる。このマイクロスイッチ２１ｓとフットスイッチ６は、どちらからでも読取り指示がだせるよう常時入力が可能なようになっている。
【００１６】
以上のように配達票発行装置Ｓは、構成されるが、次にこの配達票発行装置Ｓによって作成される配達票１６の効率的な作成手順を説明する。同一サイズの配達物ａとなる封筒に対する配達票１６を作成する場合、あらかじめ配達物ａの配達宛先情報３１のイメージ読み取り位置が所定の位置になるよう表示部１３で表示させ確認しながらイメージ読取り手段４の突き当てガイド２１、２２の突き当て位置を設定しておく。配達票発行装置Ｓのシステムを立ち上げレディ状態とし処理を開始する。まず、バーコードリーダー３で配達物ａに付されている配達管理用バーコードＢ１を読み込む、次にイメージ読取り手段４に配達物ａを挿入し、突き当てガイド２１、２２に突き当てる。そのときマイクロスイッチ２１ｓが入力され、配達物ａの配達宛先情報３１のイメージが読み込まれる。データ処理手段１は、バーコードリーダー３で読み込まれた配達管理用バーコードＢ１によるテキストデータと配達宛先情報３１のイメージデータを合成して図６で示される配達票１６をラベルプリント手段５から出力させる。
【００１７】
配達物ａが、不特定サイズの場合は、あらかじめイメージ読取り手段４の突き当てガイド２１、２２の突き当て位置を最大に設定しておく。そして、配達物ａに付されている配達管理用バーコードＢ１を読み取った後、イメージ読取り手段４に配達物ａを挿入し、配達物ａの配達宛先情報３１のイメージ読み取り位置を表示部１３で確認しながらフットスイッチ６を入力し、イメージデータを取り込む。以下処理は同じなので省略するが、このようにして順次配達票１６は作成される。
【００１８】
本発明は以上の如くであるが、ＣＣＤカメラの読み取り枠の最大限度があるがこの読み取り枠の範囲で出力するイメージの拡大、縮小が可能なように、ＣＣＤカメラ自体のズーム機能をもたせるか、データ処理手段の編集で拡大、縮小の処理ができるようになっている。
【００１９】
【発明の効果】
以上説明したように、本発明の配達票発行装置は、マニュアル操作でイメージの読取り処理を行う際、配達物に付した所定位置の配達先データを読み取れるように少なくとも配達物の隣り合う２辺の位置を規定する突き当てガイドをイメージ読取り手段に設けて配達物のイメージを読み取らせるようにしたので、いちいち表示画面で確認しながらイメージの入力処理を行わなくてもよいので、きわめて効率的に配達票の発行処理ができる等、実用性に優れた効果を奏するものである。
【図面の簡単な説明】
【図１】本発明の配達票発行装置の全体を示す概略説明図。
【図２】図１の配達票発行装置におけるイメージ読取り手段の拡大斜視説明図。
【図３】図１の配達票発行装置のブロック説明図。
【図４】配達物となる封筒の表面説明図。
【図５】図４の封筒の裏面説明図。
【図６】図５の封筒の裏面に配達票を貼付した平面説明図。
【符号の説明】
１…データ処理手段
２…プリンタ
３…バーコードリーダー
４…イメージ読取り手段
５…ラベルプリント手段
６…フットスイッチ
２１，２２…突き当てガイド
２１ｓ…マイクロスイッチ
Ｓ…配達票発行装置
【図１】
0003679868.tif 000002
【図３】
0003679868.tif 000003
【図２】
0003679868.tif 000004
【図４】
0003679868.tif 000005
【図５】
0003679868.tif 000006
【図６】
0003679868.tif 000007